(57)【要約】【課題】  共用のコネクタを備えたExpress Card用のスロットに細幅のExpress Cardを挿入する場合、位置ずれを起こすことなく正しくコネクタと接続でき、コネクタとの接続不良を生じさせないガイド機構付Express Card用スロットを提供する。【解決課題】  スロット器枠９のコネクタ８のガイド部８ａから細幅のExpress Card１ａの幅の位置にガイド部１６を設けたガイド部材１１を前記スロット器枠９に設けた軸１２を回動自在に設ける。通常、ガイド部材１１によってスロットにおける細幅のExpress Card用挿入口１０を除いたスロット３を閉鎖するための巻バネ１３を軸１２に設ける。【選択図】  図７
2006185677.tif 000002
【特許請求の範囲】
【請求項１】
幅の異なる２種類のExpress Cardを使用するExpress Card用スロットにおいて、細幅のExpress Cardを挿入する際には内側縁のガイドになり、広幅のExpress Cardを挿入する際には、当該広幅のExpress Cardにより押し退けられ退避するガイド手段を設けたことを特徴とするExpress Card用スロット。
【請求項２】
ガイド手段は開閉蓋状にスロット器枠の上部又は下部に蝶着したものであることを特徴とする請求項1記載のExpress Card用スロット。
【請求項３】
ガイド手段はスロット器枠の上部又は下部に回動自在に設けたものであることを特徴とする請求項1記載のExpress Card用スロット。
【請求項４】
ガイド手段はスロット器枠の上部又は下部からスロット内に出没自在に設けたものであることを特徴とする請求項1記載のExpress Card用スロット。
【請求項５】
ガイド手段としてフ字状の板バネを用いたことを特徴とする請求項1記載のExpress Card用スロット。
【請求項６】
ガイド手段はスロットの側方に蝶着された開閉蓋状をなし、内側自由端にガイド部を設けたことを特徴とする請求項1記載のExpress Card用スロット。
【発明の詳細な説明】
【技術分野】
【０００１】
本件発明は、細幅と広幅のExpress Cardを使用可能としたExpress Card用スロットに関するものである。
【背景技術】
【０００２】
従来のPCカードはPCIバスを使用してカード対応電子機器と接続されていたが、昨年１２月に、PCIバスより転送速度が速いPCI Express が開発され、それに合わせて非特許文献１に示すように、細幅のExpress Card と広幅のExpress CardがPCMCIA（Personal Computer Memory Card International Association）により規格化されると共に、共用のスロットに挿入して使用されることとなった。
【０００３】
すなわち、Express Cardには図１に示すように幅が３４mmの「Express Card／３４」１aと、５４mmの「Express Card／５４」１ｂの２種類あり、５４mm幅の共通のカードコネクタ８に挿入して使用される。
【０００４】
従って、３４ｍｍ幅の細幅のExpress Card１aをコネクタ８に接続する場合、Express Card１a とコネクタ８のガイド部８ｂとの間に図２（a）に示すように、W幅の空間が空いてしまう為、細幅のExpress Card１aをコネクタ８の接続する時に充分気を付けてコネクタ８を設けたスロットに挿入しないと、図２（ｂ）に示すようにExpress Card１aが傾斜したままの状態となり、コネクタ８の端子と接触不良を生じる虞がある。
【非特許文献１】２００３年１２月  PCMCIA発行  Express CARD  Standard Release 1.0(Document NO.1203-01-1500)
【発明の開示】
【発明が解決しようとする課題】
【０００５】
そこで本発明は、共用のコネクタを備えたExpress Card用スロットに細幅のExpress Cardを挿入する場合、位置ずれを起こすことなく正しく挿入することができ、コネクタとの接触不良等を生じさせないガイド機構付Express Card用スロットを提供することを課題とするものである。
【課題を解決するための手段】
【０００６】
本発明は上記の課題を解決するためになされたもので、第１の発明は幅の異なる２種類のExpress Cardを使用するExpress Card用スロットにおいて、細幅のExpress Cardを挿入する際には内側縁のガイドになり、広幅のExpress Cardを挿入する際には、当該広幅のExpress Cardにより押し退けられ上方又は下方へ退避するガイド手段を設けたことを特徴とするExpress Card用スロットである。
【０００７】
第２の発明は、第１の発明のガイド手段は開閉蓋上にスロット器枠の上部又は下部に蝶着したものであることを特徴とするExpress Card用スロットである。
【０００８】
第３の発明は、第１の発明のガイド手段はスロット器枠の上部又は下部に回動自在に設けたものであることを特徴とするExpress Card用スロットである。
【０００９】
第４の発明は、第１の発明のガイド手段はスロット器枠の上部又は下部からスロット内に出没自在に設けたものであることを特徴とするExpress Card用スロットである。
【００１０】
第５の発明は、第１の発明のガイド手段としてフ字状の板バネを用いたことを特徴とするExpress Card用スロットである。
【００１１】
第６の発明は、第１の発明のガイド手段はスロットの側方に蝶着された開閉蓋状をなし、内側自由端にガイド部を設けたことを特徴とするExpress Card用スロットである。
【発明の効果】
【００１２】
本発明によれば、細幅のExpress Card／３４をガイド手段により位置ずれを起こすことなく確実にコネクタに接続させることができ、また広幅のExpress Card／５４の場合はスロットに挿入するExpress Card自体により押されて上方又は下方に退避し、支障なくコネクタへ接続させることができる。
【実施例１】
【００１３】
図３は、本発明をノート・パソコンに適用した場合の第１の実施例を示すもので、３はノート・パソコン２に組み込んだスロット器枠の側面９に設けたスロットである。
【００１４】
図４（ａ）はこの実施例のため設計されたExpress Card１ａの平面図、図４（ｂ）はその構成を示す模式図で、ノート・パソコン２のExpress Cardスロット３とUSB2.0若しくはPCI Expressで接続され、図４（ｂ）に示すように、例えばメモリスティック４、ＭＭＣカード５、ＳＤカード６、ＸＤカード７等の複数のメモリカードが使用できるメモリカードアダプタとして使用されるように構成されている。
【００１５】
図５はノート・パソコン２の要部の拡大側面図で、３はノート・パソコン２に組み込んだスロット器枠９に設けたスロット、１０は細幅のExpress Card１ａの挿入口、１１は前記スロット器枠９の上部に蝶着して後方に開披する開閉蓋状のガイド部材である。なおこのガイド部材１１は、Express Card１ａの挿入口を除くスロットを塞ぐように設けられている。
【００１６】
また、ガイド部材１１は、図６に示すように、両側を後方に屈曲してExpress Card１ａの挿入口１０側にExpress Card１ａのガイド部１６を形成し、図７に示すようにスロット器枠の上部に設けた軸１２，１２に回動自在を取り付けられ、通常は巻バネ１３によってスロット３の片側を閉鎖するように装着されている。なお、１４は巻バネ１３の係止部である。
【００１７】
以上のように構成されているので、細幅のExpress Card１ａをスロット３に挿入する時は、挿入口１０に挿入する。この場合、Express Card１ａは、図８（a）に示すようにガイド部材１１のガイド部１６によって規制されると共に、案内され、コネクタ８と正しく接続されることになる。
【００１８】
そして、広幅のExpress Card１ｂをスロット３に挿入する時は、ガイド部材１１は図８（ｂ）に示すように押し退けられて、上方に退避し、支障なくコネクタ８と接続される。スロット３からExpress Card１ｂを引抜くとガイド部材１１は巻バネ１３により復帰してスロット３の片側を閉鎖する。
【００１９】
この実施例の長所は、スロット３の片側が閉鎖され、細幅のExpress Card１ａの挿入口がどこであるかが一目瞭然となるので、使用者が挿入位置に迷うことなくExpress Card１ａを挿入し得ることである。なお、この実施例では、ガイド部材１１をExpress Card１ｂの挿入時に上方へ退避するように構成したが、下方へ退避するようにしてもよい。
【実施例２】
【００２０】
図９〜図１２は本発明の第２の実施例を示すもので、図９は正面図、図１０は平面図、図１１はガイド部材の構造を示す平面図、正面図及び側面図である。
【００２１】
図１０及び図１１において、１７はスロット器枠、１８はスロット、１９はガイド部材、２０，２０はガイド部材上部に設けられたストッパ、２１はスロット器枠１７に設けられたガイド部材１９の退避孔で、ガイド部材１９は図１１に示すように、ストッパ２０，２０、軸孔２２及び揺動促進用傾斜部２３が設けられ、前記軸孔２２はスロット器枠１７に設けた軸２４に軸着されている。
【００２２】
そして、ガイド部材１９は図９及び図１０に示すようにコネクタ８のガイド部８ａからExpress Card１ａの幅だけ離れた位置、すなわちExpress Card１ａの挿入を規制する位置に設けられ、Express Card１ａをスロット１８に挿入すると、図１２（ａ）に示すようにコネクタ８のガイド部８ａとガイド部材１９により両端がガイドされ、コネクタ８と正しく接続される。挿入後のExpress Card１ａはガイド部８ａとガイド部材１９により狭持されているので位置ずれを起こすことがない。
【００２３】
次に広幅のExpress Card１ｂをスロット１８に挿入すると、図１２（ｂ）に示すようにExpress Card１ｂはガイド部材１９の傾斜部２３を押圧してガイド部材１９を軸２４を中心に上方向へ回動させて押し上げ、ガイド部１９は退避孔２１に逃げるためExpress Card１ｂの挿入を妨げることがなく、支障なくコネクタ８と接続することができる。そして、Express Card１ｂをスロット１８から引抜けば、ガイド部材１９は自重により、図１２（ａ）の状態へ戻り、ガイド部材１９はストッパ２０によりスロット器枠１７上面に係止され、図１２（ａ）に示す位置より下方へ回動することはない。
【実施例３】
【００２４】
図１３〜図１６は本発明の第３の発明の実施例を示すもので、図１３は正面図、図１４は平面図、図１５はガイド部材の構造を示す平面図、正面図及び側面図である。
【００２５】
この実施例は、実施例２がガイド部材を揺動させるものであったのに対し、昇降タイプとしてもので、ガイド部材を設ける位置は同じであるが、ガイド部材の構造とその昇降室を設けた点が相違する。
【００２６】
すなわち、図１３及び図１４に示すように、スロット器枠２５の上面に昇降室３０を設け、この昇降室３０内を図１５に示すようなガイド部材２７を昇降自在に収納したものである。
【００２７】
図１３〜図１５において、２５はスロット器枠、２６はスロット、２７は両側上部に揺動部２８，２８を突出させて設け、且つこの揺動部２８，２８を昇降室３０に設けた案内溝３０ａ，３０ａと係合させたガイド部材で、摺動促進用傾斜部２９が設けられている。
【００２８】
以上のように構成されているので、Express Card１ａをスロット２６に挿入する場合は、図１６（ａ）に示すようにコネクタ８のガイド部８ａとガイド部材２７によりExpress Card１ａの両端はガイドされ、コネクタ８と傾斜することなく正しく接続され、Express Card１ａはガイド部８ａとガイド部材２７により狭持されているので位置ずれを起こすことがない。
【００２９】
次に広幅のExpress Card１ｂをスロット２６に挿入する場合は、図１６（ｂ）に示すようにExpress Card１ｂがガイド部材２７の傾斜部２９を押圧してガイド部材２７を昇降室３０内を上方向へ摺動して押し上げ、Express Card１ｂは挿入を妨げることがなく挿入され、コネクタ８と接続することができる。そして、Express Card１ｂをスロット２６から引抜けば、ガイド部材２７は自重により降下して、図１６（ａ）の状態へ復帰する。ガイド部材２７はその摺動部２９，２９が案内溝３０ａの底部で係止され、図１６（ａ）に示す位置より下方へ下がることはない。
【実施例４】
【００３０】
図１７〜図２０は本発明の第４の発明の実施例を示すもので、図１７は正面図、図１８は平面図、図１９はガイド部材の構造を示す平面図、正面図及び側面図である。
【００３１】
この実施例４は、実施例１〜３が何れもガイド部材が可動式であったのに対し、フ字状の板バネを固定してガイド部材としてものである。
【００３２】
すなわち、図１９に示すようなフ字状の板バネ３３をスロット器枠３１の内面天上部に固定し、図２０（ａ）に示すように、その側面が細幅のExpress Card１ａを挿入する際のガイドとなり、広幅のExpress Card１ｂ挿入の際は、板バネ３３の傾斜垂下部３４を押し退けて挿入することができるようにしたものである。
【００３３】
この構造によると、前述の実施例１〜３と同様の機能を持つと共に、構造が簡単であるから課題を解決するスロットを安価に提供することができる。
【実施例５】
【００３４】
図２１と図２２は本発明の第５の実施例を示す図で、図２１は横断平面図、図２２はガイド部材の構造を示す平面図、正面図及び側面図である。
【００３５】
この実施例５は実施例１が、ガイド部材をスロット器枠の内側上方に開披するように設けたものなるに対し、コネクタのガイド部に向かって内側に開披するようにしたものである。
【００３６】
図２１において、３５はスロット器枠、３６はスロット、３７は端部にガイド部３８を設けたガイド部材、４２ａ、４２ｂはコネクタ４２のガイド部、３９はガイド部材３７に設けた軸孔、４１は巻バネ、４３はコネクタ４２のガイド部４２ｂに設けたガイド部材３７が退避する凹部である。
【００３７】
ガイド部材３７は外側に設けた軸孔３９にスロット器枠３５に設けた軸４０を挿入してスロット器枠３５の内側へ開くように蝶着されていて、通常は巻バネ４１によってスロット３６の片側を閉鎖する構造となっている。
【００３８】
以上のように構成されるので、細幅のExpress Card１ａをスロット３６に挿入する場合は、コネクタ４２のガイド部４２ａと共にガイド部材３７のガイド部３８がExpress Card１ａの両側をガイドし、Express Card１ａはコネクタ４２正しく接続される。
【００３９】
また広幅のExpress Card１ｂをスロット３６に挿入する場合は、Express Card１ｂがガイド部材３７を押し、ガイド部材３７は軸４０を軸にして回動し、コネクタ４２に設けた凹部４３へ退避してガイド部材３７に妨げられることなくコネクタ８と接続できる。
【００４０】
そしてExpress Card１ｂをスロット３６から抜くと、ガイド部材３７は巻バネ４１により図２１に示す位置に戻される。
【００４１】
以上、上記実施例１〜４はガイド部材のヒンジ部をスロット器枠上面に設けるようにしたが、スロット器枠の下面に設けるようにしてもよい。しかし、その場合にはガイド部材を上方ヘ付勢するバネ等の弾性部材を設ける必要があることが勿論でである。
【図面の簡単な説明】
【００４２】
【図１】幅の異なる２種類のExpress Cardとコネクタの接続方法を示した説明図。
【図２】細幅のExpress Cardとコネクタの接続状態を示す説明図で、（ａ）は正常状態図、（ｂ）は位置ずれ状態図。
【図３】第１の発明をノート・パソコンに適用した場合の実施例の斜視図。
【図４】細幅のExpress Cardを示す説明図で、（ａ）は平面図、（ｂ）は内部構成を示すブロック図。
【図５】本発明の第１の実施例における要部の拡大正面図。
【図６】本発明の第１の実施例におけるガイド部材の構造を示すもので（ａ）は拡大平面図、（ｂ）は拡大正面図、（ｃ）は拡大側面図。
【図７】本発明の第１の実施例の横断平面図。
【図８】本発明の第壱の実施例におけるガイド部材の動作状態を示す説明図で、（ａ）は細幅のExpress Card１ａを挿入した場合の截断側面図、（ｂ）は広幅のExpress Card１ｂを挿入した場合の截断側面図。
【図９】本発明の第２の実施例の正面図。
【図１０】本発明の第２の実施例の平面図。
【図１１】本発明の第２の実施例におけるガイド部材の構造を示すもので、（ａ）は平面図、（ｂ）は正面図、（ｃ）は側面図。
【図１２】本発明の第２の実施例におけるガイド部材の動作状態を示す説明図で、（ａ）は細幅のExpress Card１aを挿入した場合、（ｂ）は広幅のExpress Card１ｂを挿入した場合。
【図１３】本発明の第３の実施例の正面図。
【図１４】本発明の第３の実施例の平面図。
【図１５】本発明の第３の実施例におけるガイド部材の構造を示すもので、（ａ）は平面図、（ｂ）は正面図、（ｃ）は側面図。
【図１６】本発明の第３の実施例におけるガイド部材の動作状態を示す説明図で、（ａ）は細幅のExpress Card１aを挿入した場合の截断側面図、（ｂ）は広幅のExpress Card１ｂを挿入した場合の一部截断側面図。
【図１７】本発明の第４の実施例の正面図。
【図１８】本発明の第４の実施例の平面図。
【図１９】本発明の第４の実施例におけるガイド部材の構造を示すもので（ａ）は平面図、（ｂ）は正面図、（ｃ）は側面図。
【図２０】本発明の第４の実施例におけるガイド部材の動作状態を示す説明図で、（ａ）は細幅のExpress Card１aを挿入した場合の截断側面図、（ｂ）は広幅のExpress Card１ｂを挿入した場合の截断側面図。
【図２１】本発明の第５の実施例の横断平面図。
【図２２】本発明の第５の実施例におけるガイド部材の構造を示すもので、（ａ）は拡大平面図、（ｂ）は拡大正面図、（ｃ）は拡大側面図。
【符号の説明】
【００４３】
１ａ，１ｂ      Express Card
３      スロット
８      コネクタ
８ａ，８ｂ，１６      ガイド部
９      スロット器枠
１０      挿入口
１１      ガイド部材
１２      軸
１３      巻バネ
１４      係止部
【図１】
2006185677.tif 000003
【図２】
2006185677.tif 000004
【図３】
2006185677.tif 000005
【図４】
2006185677.tif 000006
【図５】
2006185677.tif 000007
【図６】
2006185677.tif 000008
【図７】
2006185677.tif 000009
【図８】
2006185677.tif 000010
【図９】
2006185677.tif 000011
【図１０】
2006185677.tif 000012
【図１１】
2006185677.tif 000013
【図１２】
2006185677.tif 000014
【図１３】
2006185677.tif 000015
【図１４】
2006185677.tif 000016
【図１５】
2006185677.tif 000017
【図１６】
2006185677.tif 000018
【図１７】
2006185677.tif 000019
【図１８】
2006185677.tif 000020
【図１９】
2006185677.tif 000021
【図２０】
2006185677.tif 000022
【図２１】
2006185677.tif 000023
【図２２】
2006185677.tif 000024